【事件の表示】
　平成１１年特許願第１８８３８９号「流体噴射式織機における緯糸引戻し装置の操作方法」拒絶査定不服審判事件〔平成１３年　１月２３日出願公開、特開２００１−　２０１５６〕について、次のとおり審決する。
【結　論】
　本件審判の請求は、成り立たない。
【理　由】
１．手続の経緯・本願発明
　本願は、平成１１年７月２日の出願であって、その請求項１〜５に係る発明は、平成１８年４月１７日付け手続補正書によって補正された明細書および図面の記載からみて、明細書の特許請求の範囲の請求項１〜５に記載された事項により特定されるとおりのものであると認められるところ、請求項１に係る発明は、次のとおりのものであると認められる。
「給糸体から引き出された緯糸を貯留する緯糸貯留装置と緯入ノズルとの間に設けられてその間の緯糸を屈曲状態とすることにより経糸開口内に緯入れされた緯糸から切り離されて緯入ノズル先端から突出する緯糸の先端を緯入ノズル側へ引き戻す緯糸引戻し装置であって、織機の停止中に緯糸を屈曲状態とする緯糸引戻し装置を備えた流体噴射式織機において、
緯入れが行われる連続運転時以外の期間であって前記緯入れノズルに連なる緯糸を前記緯糸貯留装置から解舒しつつ緯入ノズルを介して引き出す緯糸操作を含む期間である織機の非連続稼働時に、前記緯糸操作の指令信号に基づき、緯糸を屈曲状態としている緯糸引戻し装置の緯糸屈曲動作を解除する、
ことを特徴とする流体噴射式織機における緯糸引戻し装置の操作方法。」（以下、「本願発明」という）
　
２．当審の判断
　当審における拒絶の理由は、「本願の請求項１に係る発明は、その出願前に頒布された引用刊行物に記載された発明に基づいて当業者が容易に発明をすることができたものであるから特許法第２９条第２項の規定により特許を受けることができない。」というものである。
　
（１）当審における拒絶の理由に引用された刊行物
　刊行物１：特開平９−１４３８４１号公報
　
（２）刊行物の記載事項
　刊行物１には、第１〜６図と共に以下の事項が記載されている。
ａ．第【００１３】〜【００１９】欄には、
「【発明の実施の形態】図１ないし図３は本発明の実施例を示したものである。この実施例の引き戻し装置１は、ツインノズルのウォータージェットルームに用いられるもので、測長装置２から緯入れノズル３に至る２本の糸道４のそれぞれのグリッパ２８とノズル３との間に設置されている。引き戻し装置は、織機本体に固定される矩形の基板５を備えており、２本の糸道４の左右（各糸道の外側）に矩形の窓６が設けられている。基板の裏面には、それぞれの窓６の糸道側に固定ストッパ７が設けられており、反糸道側に可動ストッパ８が設けられている。
　可動ストッパ８の受け面は、糸道４と交叉するネジ杆１２の先端に設けられている。ネジ杆１２は基板の裏面に固着された一対のブロック１０、１１に装架されており、このネジ杆１２に螺合する摘み１３が上記ブロック１０、１１の間に軸方向移動不能かつ回動自在に保持されている。一方のブロック１０のネジ杆挿通孔にはスリット１４が設けられており、このスリットにネジ杆１２に植立した回止めピン１５が嵌装されている。
　可動ストッパ８の受け面には、独立気泡を有する制振スポンジ…略…１６が固着されている。固定ストッパ７の受け面にも同様の制振スポンジ１７が固着されている。
　上記構造により、摘み１３を回動して可動ストッパ８の受け面の位置を調節することができ、後述するスイングピンの移動端をこの可動ストッパで規定することにより、緯糸引き戻し時のノズル３からの緯糸先端の突出長さを簡単に調整できる。
　更に、基板５の裏面には、ロータリソレノイド１８、１８がその駆動軸１９、１９を左右の窓６、６の中央を横切るようにして固定されている。駆動軸１９、１９には窓６、６を通って基板５の上方まで延びる糸道方向に幅広いアーム２１、２１が固着されており、各アームの先端の幅方向両隅にスイングピン２２ａ、２２ｂが固着されている。それぞれのアームのスイングピン２２ａ、２２ｂの先端相互は、細い針金によって連結されている。
　基板の上面には、門形のガイド板２３が固着されており、このガイド板の上記各窓６の真上の位置にスイングピン２２ａ、２２ｂを案内する長孔２４ａ、２４ｂが平行に設けられている。対となる長孔２４ａ、２４ｂの間の糸道側の位置に固定ピン２５が立設されている。長孔２４ａの測長装置側と長孔２４ｂのノズル側には糸ガイド２６ａ、２６ｂが設けられており、測長装置側の糸ガイド２６ａの近傍にグリッパ２８が設けられている。測長装置２で１ピック分計測された緯糸２９は、グリッパ２８、糸ガイド２６ａを通り、スイングピン２２ａ、固定ピン２５およびスイングピン２２ｂに接触して、糸ガイド２６ｂを経てノズル３へと連なっている。
　緯糸の種類に合わせて摘み１３を回転し、可動ストッパ８を進退させてスイングピン２２の移動ストロークを変化させて、ノズルからの緯糸先端３０の突出長さを最適なものに設定する。また、ブレーキ指令のタイミングも最適なものに設定する。このように設定したあと、ロータリソレノイド１８に信号を与えると、スイングピン２２が固定ピン２５側に高速で振られ、アーム２１が可動ストッパ８の制振スポンジ１６に当接して、糸道４をジグザグ状に変化させた状態でバンピングせずに停止する。スイングピン２２を復帰させた時は、アーム２１が固定ストッパの制振スポンジ１７に当接して、糸道４を一直線状に変化させてバンピングせずに停止する。」と記載されている。
ｂ．第【００２０】、【００２１】欄には、
「図４は、本発明の引き戻し装置による緯入れのタイミングチャートである。同図（ａ）はブレーキ動作（電圧波形）を、同図（ｂ）は緯入れ飛走線図を、同図（ｃ）は緯糸の張力波形をそれぞれクランク角度に対して示したものである。前回の筬打ちが終わって経糸の開口が切り換わり（クランク角度０度）、緯糸がカッタ３５で織前３６から切り離される（クランク角度２０度、点Ｃ）。引き戻し装置が作動して緯糸の先端３０をノズル側に引き戻し、ノズルからの緯糸先端の突出長さを２ｃｍ程度にする（クランク角度約９０度）。引き戻し動作が終わったあと、ピッキング装置を動作させて緯糸をノズルから噴射する（クランクの角度１００度、点Ｐ）。クランク角度が所定角度になったら引き戻し装置にブレーキ指令を与えて瞬間的にスイングピン２２を動作（移動と復帰）させ（クランク角度２２０度、点Ｂ）、緯糸にブレーキをかけて飛走速度を低下させる。次いで、測長装置の係止ピンを突出させて緯糸の飛走を停止させる（クランク角度２３０度、点Ｓ）。同時に筬打ち動作を開始して緯入れされた緯糸を織前に打ち込み（クランク角度３４０度、点Ｒ）、経糸の開口を切り換える（クランク角度３６０度）。このような動作を繰り返して製織していく。図４の（ｃ）から明らかなように、ブレーキ動作により緯糸の最大張力を低下させることができる。
　図５は本発明の引き戻し装置に対する動作指令の他の例を示したものである。ロータリソレノイドの引き戻し動作中に逆駆動の信号を与えてバンピングを防止するものであり、図５はその際の電圧波形を示している。」と記載されている。
ｃ．図１〜６には、
　ヤーンボビン（図示省略）から測長、貯留装置２を介して、緯入れノズル３へと導かれるウォータージェットルームにおいて、緯糸測長貯留装置２と緯入れノズル３の間の糸道４に基板５上に設けられ、経糸３７の開口内に緯入れされた緯糸からカッタ３５で切り離された緯入ノズル先端からカッタまでの長さの緯糸３０を、ノズルの先端にわずかに残して糸道間に保持する緯糸引き戻し装置１が開示されている。
ｄ．してみると、刊行物１には、
「ヤーンボビンから緯糸測長貯留装置２を介して、緯入れノズル３へと導かれるジェットルームにおいて、緯糸測長貯留装置２と緯入れノズル３の間の糸道４に基板５上に設けられたスイングピン２２を動作（移動と復帰）させジグザグ状に変化させ、経糸３７の開口内に緯入れされた緯糸からカッタ３５で切り離された緯入ノズル先端からカッタまでの長さの緯糸３０を、ノズルの先端に２ｃｍ程度残して糸道間に保持するために、スイングピン２２を動作（移動と復帰）させるものにおいて、図４（ａ）の電圧波形をスイングピンを作動するソレノイド１８に付加することにより、緯糸にブレーキをかけて飛走速度を低下させ、測長装置貯留装置２の係止ピンを突出させて緯糸の飛走を停止させ（クランク角度２３０度、点Ｓ）、同時に筬打ち動作を開始して緯入れされた緯糸を織前に打ち込み（クランク角度３４０度、点Ｒ）、経糸の開口を切り換える（クランク角度３６０度）とし、図４の（ｃ）から明らかなように、ブレーキ動作により緯糸の最大張力を低下させること、および緯糸の種類に合わせ、スイングピン２２を復帰させた時は、アーム２１が固定ストッパの制振スポンジ１７に当接して、糸道４を一直線状に変化させてバンピングせずに停止させることをそれぞれ可能としたブレーキ動作を備えた緯糸引き戻し装置１の操作方法。」の発明（以下、「刊行物に記載の発明」という）が記載されている。
　
３．対比判断
（１）上記刊行物に記載の発明と本願発明とを対比すると、
前者の、「ヤーンボビン」、「緯糸」、「緯糸測長貯留装置２」、「ジグザグ状に変化させること」、「経糸３７」、「緯入れノズル３」、「緯糸引き戻し装置１」、「ジェットルーム」、「緯糸引き戻し装置１の操作方法」は、後者の「給糸体」、「緯糸」、「緯糸貯留装置」、「屈曲状態とすること」、「経糸」、「緯入ノズル」、「緯糸引戻し装置」、「流体噴射式織機」、「緯糸引戻し装置の操作方法」に相当するから、
　両者は、
「給糸体から引き出された緯糸を貯留する緯糸貯留装置と緯入ノズルとの間に設けられてその間の緯糸を屈曲状態とすることにより経糸開口内に緯入れされた緯糸から切り離されて緯入ノズル先端から突出する緯糸の先端を緯入ノズル側へ引き戻す緯糸引戻し装置であることを特徴とする流体噴射式織機における緯糸引戻し装置の操作方法。」で一致し、以下の点で相違している。　
　
［相違点ａ］本願発明が、緯糸引戻し装置が緯糸を屈曲状態とするのが、「織機の停止中」であるのに対し、刊行物に記載の発明では、この点の記載がない点。
［相違点ｂ］本願発明が、緯糸操作の指令信号に基づき、緯糸を屈曲状態としている緯糸引戻し装置の緯糸屈曲動作を解除するのが、「織機の非連続稼働時（緯入れが行われる連続運転時以外の期間であって前記緯入れノズルに連なる緯糸を前記緯糸貯留装置から解舒しつつ緯入ノズルを介して引き出す緯糸操作を含む期間である）」ものであるのに対し刊行物に記載の発明では、この点の記載がない点。
　　以下、上記相違点につき検討する。
（周知の技術）
　織機の停止には、
（イ）織機用の主電源は落ちていないものの、通常の製織動作が行われていない状態と、
（ロ）長時間の停止のために主電源が投入されていない状態、があることは、当業者に自明の事項である。
［相違点ａ］について、
「図４（ａ）の電圧波形をスイングピンを作動するソレノイド１８に付加することにより、緯糸にブレーキをかけて飛走速度を低下させ、測長装置貯留装置２の係止ピンを突出させて緯糸の飛走を停止させ（クランク角度２３０度、点Ｓ）、同時に筬打ち動作を開始して緯入れされた緯糸を織前に打ち込み（クランク角度３４０度、点Ｒ）、経糸の開口を切り換える（クランク角度３６０度）とし、図４の（ｃ）から明らかなように、ブレーキ動作により緯糸の最大張力を低下させる」こと〈制御Ａ〉と「緯糸の種類に合わせ、スイングピン２２を復帰させた時は、アーム２１が固定ストッパの制振スポンジ１７に当接して、糸道４を一直線状に変化させてバンピングせずに停止させる」こと〈制御Ｂ〉を停止原因によって使い分け、特に、口合わせ、一本緯入れ等のときには、〈制御Ｂ〉を、その他の時には〈制御Ａ〉を、また、長時間にわたる停止の時には〈制御Ｂ〉をというように、織機のおかれた状態に応じて〈制御Ａ〉と〈制御Ｂ〉とのどちらを選択するかは、当業者が適宜なしえた程度である。
　
［相違点ｂ］について、
　緯糸を屈曲状態としている緯糸引戻し装置の緯糸屈曲動作を解除する動作が、口合わせ、一本緯入れ、必要とされる緯糸操作の指令信号に基づき行う点についても、ノズルの噴射圧能力と糸の重さ当を勘案して当業者が適宜設定しうる事項である。
　そして、本願発明の構成による格別な効果も認められない。
　　                      
５．むすび
　上記のとおり、本願発明は、引用例１に記載の発明、および周知技術に基づいて当業者が容易に発明をすることができたものであるから、残余の請求項２〜５に係る発明について検討するまでもなく、特許法第２９条第２項の規定により特許を受けることができない。
　よって、結論のとおり審決する。